(57)【特許請求の範囲】
【請求項１】
それぞれ少なくとも１つのＬＥＤ（１２）、及びその制御のために必要な導体路（１４）、抵抗（１３）等のような電子構成要素、及び電圧を接続し又は取出すために異なった電位の少なくとも２つの接点領域を有するモジュール（１０）の縁近くに配置されたそれぞれ１つの接点領域セット（１５／１６）を備えた光を放出する同一の少なくとも２つのモジュール（１０）を含む、照明、表示又は指示目的のための照明構成セットにおいて、それぞれの接点領域セット（１５／１６）の接点領域（１５，１６）が、線（１７）に沿って配置されており、この線が、モジュール（１０）の隣接する縁に対して垂直に向けられており、２つのモジュール（１０）相互の機械的及び電気的な結合のために、それぞれのモジュール（１０）の縁に取付けることができかつ互いに橋絡されるそれぞれ２つの接点（３１，３２）を備えたプラグコネクタ（１９）が設けられており、これらの接点（３１，３２）が、全体として１つの列（３３）に配置され、それぞれ２つの接点（３１，３２）が、前記の列（３３）に対して直角なプラグコネクタ（１９）の横向き中心平面（Ｑ）に対して同じ間隔を持っていることを特徴とする、照明、表示又は指示目的のための照明構成セット。
【請求項２】
接点領域（１５，１６）が、モジュール（１０）のプリント板（１１）を貫通して接触されているので、プラグコネクタ（１９）の接点（３１，３２）が、モジュール（１０）の一方又は他方の側から選択的に接点領域（１５；１６）に接触できることを特徴とする、請求項１に記載の照明構成セット。
【請求項３】
プラグコネクタ（１９）のロックピン（２６）を噛み合わせるために、モジュール（１０）に切り欠き（３４）が形成されていることを特徴とする、請求項１に記載の照明構成セット。
【請求項４】
切り欠き（３４）が、モジュール（１０）の接点領域（１５，１６）と同じ線（１７）に配置されており、かつロックピン（２６）が、プラグコネクタ（１９）の接点（３１，３２）と同じ列（３３）に配置されていることを特徴とする、請求項３に記載の照明構成セット。
【請求項５】
プラグコネクタが、接点支持体（２０）及び接点セット（３１／３２）を含み、この接点セットの接点要素（２１，２２）が、接点支持体（２０）の一方の側に取付けられていることを特徴とする、請求項１ないし４の１つに記載の照明構成セットのためのプラグコネクタ（１９）。
【請求項６】
接点要素（２１，２２）が、平らに形成されており、かつ大体において板状に平らな接点支持体（２０）の主平面に対して平行に延びていることを特徴とする、請求項５に記載のプラグコネクタ。
【請求項７】
それぞれの接点要素（２１，２２）が、２つのモジュール（１０）の同じ電位を持つ接点領域（１５；１６）を互いに接続するための接点ブリッジを形成していることを特徴とする、請求項５又は６に記載のプラグコネクタ。
【請求項８】
それぞれの接点要素（２１，２２）が、取付け区間（２８）及びここに結合された接点区間（２９；３０）を形成しており、この接点区間が、それぞれ大体においてフォーク状に形成されており、かつ一方の接点要素（２２）のフォーク脚が、同じ平面内において他方の接点要素（２１）のフォーク脚の間に配置されていることを特徴とする、請求項７に記載のプラグコネクタ。
【請求項９】
接点要素（２１，２２）が、切離された係止縁（２７）を有し、これらの係止縁によってこれらの接点要素が、形状及び／又はクランプ結合して、接点支持体（２０）の係止ピン（２４）にはめられていることを特徴とする、請求項５ないし７の１つに記載のプラグコネクタ。
【請求項１０】
接点支持体（２０）に、切り抜かれたばね片（２５）が形成されており、これらのばね片の端部に、モジュール（１０）の切り欠き（３４）内に噛み合うために使われるロックピン（２６）が配置されていることを特徴とする、請求項２及び請求項５ないし９の１つに記載のプラグコネクタ。
【請求項１１】
プラグコネクタが、追加的に板状の蓋（３５）を含み、この蓋が、蓋と接点支持体（２０）の接点（３１，３２）との間に、結合すべき２つのモジュール（１０）の縁の収容のためにスリット状の収容部を形成していることを特徴とする、請求項５ないし７の１つに記載のプラグコネクタ。
【請求項１２】
接点支持体（２０）及び蓋（３５）が、互いに係止可能であることを特徴とする、請求項１１に記載のプラグコネクタ。
【請求項１３】
モジュール（１０）の切り欠き（３４）とプラグコネクタ（１９）のロックピン（２６）との噛み合わせが解除可能であることを特徴とする、請求項３に記載のプラグコネクタ。
【発明の詳細な説明】
【０００１】
【発明の属する技術分野】
本発明は、それぞれ少なくとも１つのＬＥＤ、及びその制御のために必要な導体路、抵抗等のような電子構成要素、及び電圧を接続し又は取出すために異なった電位の少なくとも２つの接点領域を有するモジュールの縁近くに配置されたそれぞれ１つの接点領域セットを備えた光を放出する同一の少なくとも２つのモジュールを含む、特許請求の範囲第１項の上位概念に記載の照明、表示又は指示目的のための照明構成セットに関する。さらに本発明は、特許請求の範囲第５項の上位概念に記載の照明構成セットのためのプラグコネクタに関する。
【０００２】
【従来の技術】
発光ダイオード（ＬＥＤ）は、最近大幅に種々の照明の目的に利用される。ＬＥＤの利点は、とくにそのわずかなエネルギー需要、わずかな熱放出、大きな輝度、及び従来のランプに対して著しく長い寿命にある。ＬＥＤの多重配置は、とりわけ表示及び指示目的のためと同様に、照明目的に使用される。このようにますます大規模に、車両におけるバックライト、ブレーキライト及び点滅ライトが装備される。宣伝及び指示看板も、このようなＬＥＤによって傑出して構成することができる。
【０００３】
例えばそれぞれ１つのプリント板上に取付けられた４つのＬＥＤを有する多数の同一のモジュールを構成群にまとめることは周知である。この時、このような構成群は、統一的なラスタ寸法を有する例えば４×６のこのようなモジュールを含む。このような配置は、すべてのモジュールのすべてのＬＥＤが同時に点灯できるように、電気的に配線されている。しかし構成群から任意の数の関連するモジュールを取出し、例えば２×３のモジュールの列のこれらの部分を照明の目的に利用するようにすることもできる。構成群の残りは、引続き動作することができる。
【０００４】
導体路、それぞれ少なくとも１つのＬＥＤ及び必要な直列抵抗を有する電子回路からなるモジュールは、基本的に平らなボードであり、その際、電子構成要素、抵抗及びＬＥＤは、ＳＭＤ構成部分としてＳＭＴ法において取付けられている（ＳＭＤ＝表面取付け装置、ＳＭＴ＝表面取付け技術）。
【０００５】
【発明が解決しようとする課題】
本発明の課題は、まずそれぞれ少なくとも２つのモジュールのほぼ任意の配置を所定のラスタ寸法においてとくに高さにおいて場所を節約して構成することができるように、特許請求の範囲第１項の上位概念において周知と仮定したような照明構成セットを構成し、かつ変形することにある。本発明の別の課題は、そのための確実かつ小さな構成のプラグコネクタを提案することにある。
【０００６】
【課題を解決するための手段】
本発明は、第１の課題を独立特許請求の範囲第１項の特徴によって解決し、かつそれに相応して次のような特徴を有する。すなわちそれぞれの接点領域セットの接点領域が、線に沿って配置されており、この線が、モジュールの隣接する縁に対して垂直に向けられており、２つのモジュール相互の機械的及び電気的な結合のために、それぞれのモジュールの縁に取付けることができかつ接点を備えたプラグコネクタが設けられており、これらの接点が、全体として１つの列に配置され、かつ前記の列に対して直角なプラグコネクタの横向き中心平面に対してそれぞれ同じ間隔の所で橋絡されている。
【０００７】
したがって本発明の本質は、基本的にその接点を交差させる必要のないきわめて簡単に構成されたプラグコネクタによってそれぞれ２つのモジュールを互いに電気的及び機械的に結合することができるように、巧妙な様式でそれぞれのモジュールのそれぞれの接点領域セットの接点領域を配置することにある。プラグコネクタの接点が全体として１つの列内に配置されているということは、接点がそれぞれのモジュールに側方から接触するということを意味し、それによりプラグコネクタのきわめて扁平な構成様式が得られる。
【０００８】
本発明の別の構成において、接点領域が、モジュールのプリント板によって通し接触されているので、プラグコネクタの接点が、モジュールの一方又は他方の側から選択的に接点領域に接触できることが考慮されている。それにより例えばプラグコネクタによって、そのＬＥＤの異なった放射方向を有しかつこれに接続すべき２つのモジュールを誤極性接続を防止して配置することが、簡単に可能である。
【０００９】
なるべくその他にプラグコネクタのロックピンをなるべく再び取外し可能に噛み合わせるために、モジュールのそれぞれの接点領域セットに、切り欠きが付属しており、その際、これに関連して、切り欠きが、モジュールの接点領域と同じ列に配置されており、かつロックピンが、プラグコネクタの接点と同じ列に配置されていると有利である。
【００１０】
さらに本発明は、照明構成セットのためのプラグコネクタに関し、このプラグコネクタは、独立特許請求の範囲第５項に相応して次のような特徴を有する。すなわちプラグコネクタが、接点支持体及び接点セットを含み、この接点セットの接点要素が、接点支持体の一方の側においてここに取付けられている。
【００１１】
なるべく接点要素が、平らに形成されており、かつ大体において板状に平らな接点支持体の主平面に対して平行に延びている。
【００１２】
それぞれの接点要素は、なるべく２つのモジュールの同じ電位の接点領域を結合する接点ブリッジを形成している。これに関連して、それぞれの接点要素が、取付け区間及びここに結合された接点区間を形成しており、この接点区間が、それぞれ大体においてフォーク状に形成されており、かつ一方の接点要素のフォーク脚が、同じ平面内において他方の接点要素のフォーク脚の間に配置されていると有利である。
【００１３】
本発明の別の構成において、接点要素は、切離された係止縁を有し、これらの係止縁によってこれらの接点要素が、形状及び／又はクランプ結合して、接点支持体の係止ピンにはめられている。
【００１４】
モジュールにプラグコネクタをロックするため、接点支持体に、切り抜かれたばね片が形成されており、これらのばね片の端部に、モジュールの切り欠き内に噛み合うために使われるロックピンが配置されていることが考慮されている。
【００１５】
十分に大きな接触力を構成することができるように、モジュールの接点領域にこれまで説明したプラグコネクタを押付ける処置が、すでに構造的な事実に基づいて行なわれていないかぎり、プラグコネクタが、追加的に特別の板状の蓋を含み、この蓋が、自身と接点支持体の接点との間に、結合すべき２つのモジュールの縁のために互いに対向するスリット収容部を形成していることが考慮されている。なるべく接点支持体及び蓋は、互いに−場合によっては再び取外し可能に−係止可能である。
【００１６】
本発明によれば、利用されるモジュールの所定のラスタ内に照明構成セットを構成することができ、これらの照明構成セットは、多数の形を有することができる。線状又は面状の照明装置、及び例えば文字、数字等のような所定の形を有するものも簡単に構成でき、例えばラスタ内にいわゆる７セグメント表示を構成することができる。結合可能なモジュールの数に関する技術的な限界は、システムに対して許容される最大の電流強さ、及びきわめて長い分岐における場合によっては生じる電圧損失によって生じるだけである。
【００１７】
【発明の実施の形態】
その他に本発明は、図面に示された有利な実施例の次の説明によってもっとも良好に明らかである。
【００１８】
図１は、互いに同一のモジュール１０の多重配置を示している。これらそれぞれのモジュール１０は、プリント板１１、４つのＬＥＤ１２、及び抵抗１３及び導体路１４を含む。配線は、すべてのボード１１が導体路を介して互いに電気的に接続されているように構成されている。それ故に図１による実施例において２４のモジュール１０の全体で９６のＬＥＤは、電圧を印加した際に同時に点灯することができる。
【００１９】
しかし１つ又は複数のモジュール１０を、図１に示した全結合体から取出すことも可能である。取出されたモジュール１０及び結合体内に残ったモジュール１０は、再び電気的に動作することができる。
【００２０】
例えば図１の全結合体から、文字、例えば文字Ｅが生じる程度のモジュールを取出すことが可能である。他方において１つの列又は１つの行を切離し、かつこれを別の列又は行に結合し、又は個々のモジュールを互いに結合することが可能である。そのために、さらに後に説明するように、本発明によるプラグコネクタが使われる。
【００２１】
図２は、図１に対して拡大した再現でモジュールを示している。とくにそれぞれ１つのプラス極（接点領域１５）及びマイナス極（接点領域１６）を形成する１５及び１６によって示された接点領域が、１つの線１７上に配置されており、この線が、モジュール１０の所属の縁１８に対して少なくとも大体において垂直になっていることが明らかである。一緒になって接点領域セットを形成する両方の接点領域１５及び１６は、縁の近くに配置されている。本実施例において、それぞれプラス極１５が外側に、かつマイナス極１６がさらに内側にあるように、線１７上に配置されている。
【００２２】
本実施例は、２つのＳＭＤ−ＬＥＤ１２を有する正方形輪郭のモジュール１０を示している。別の形も明らかに可能であり、例えば規則的な六角形の形のモジュール輪郭の際に、蜂の巣パターンが得られ、この蜂の巣パターンは、３つ又は６つのＬＥＤの配置のためにとくに適している。
【００２３】
それぞれ個々のＬＥＤのため又はそれぞれのＬＥＤ配線のために統一的に構成された接点領域セット１５／１６が設けられており、これらが、付属の縁に関してすべて同じ様式及び方法で配置されていることが重要である。このことは、それぞれ２つのモジュール１０を電気的及び機械的に互いに結合することができるきわめて簡単に形成されたプラグコネクタに対する前提条件である。有利なように１つのモジュール１０のそれぞれ任意の縁を別のモジュールのそれぞれ任意の縁に結合できるようにするために、モジュール１０のそれぞれの縁に１つの接点領域セットが存在する。
【００２４】
図３は、このようなプラグコネクタを拡大した尺度で示している。これは、絶縁材料からなる少なくとも１つの接点支持体２０、及び２つの接点要素２１及び２２を含む。接点支持体２０は、合成物質射出成形部分からなり、かつ大体において基板２３、及び２つの係止カム２４及びロックピン２６を備えた２つのばね片２５を有する。
【００２５】
係止カム２４は、接点支持体２０に両方の接点要素２１，２２を固定的に係止するために使われ、これらの接点要素は、そのために係止縁２７を備え、これらの係止縁は、接点要素２１及び２２の薄板材料から切離され、かつ立てられている。接点要素２１及び２２が接点支持体２０の基板２３上に押付けられるとき、これらは、確実にここに固定されている。
【００２６】
さらに図３から明らかなように、接点要素２１及び２２は、係止縁２７を含むその取付け区間２８以外に、それぞれなおフォーク状の接点区間２９又は３０を有する。
【００２７】
小さな突起状の刻印部からなる接点要素２１の接点３１及び接点要素２２の接点３２は、すべて３３によって示す１つの列上にある。プラグコネクタ１９を組立てた際に同じ線上に、ロックピン２６も配置されている。これらは、それぞれのモジュール１０のボード１１の通口３４に形状結合して噛み合うために使われる（図２）。
【００２８】
例えば装置側においてこれらのプラグコネクタがモジュール１０の表面上に固定的に押付けられかつ固定保持されることが配慮されているかぎり、１つの接点支持体２０及び両方の接点要素２１及び２２だけからなるプラグコネクタは、圧力接触によって２つのモジュールを電気的に導通しかつ機械的に互いに固定的に結合する。
【００２９】
しかし“露出した”プラグ結合のため、さらに図３及び４に示した蓋３５が設けられている。これは、平らな蓋板３６を含み、この蓋板は、その下側に２対の係止フック３７及び３８を備え、それによりこの蓋板は、固定的に、すなわち十分な接触圧力を発生して、接点支持体２０に係止することができる。
【００３０】
図５は、蓋３５を持たない簡単な構成のプラグコネクタ１９を示している。ここでは接点支持体２０におけるきわめて扁平な接点要素２１及び２２のロックが明らかであり、かつ接点３１及び３２がロックピン２６とともに、すべて１つの列３３内に配置されていることがわかる。
【００３１】
図５によるプラグコネクタ上に前記の蓋が係止されているかぎり、これは、自身と接点支持体２０又は接点３１及び３２との間に対向配置において、モジュール１０の縁に対するそれぞれ１つの縁の開いた挿入スリットを形成している。図６は、このようなプラグコネクタ１９によって互いに結合される２つのモジュール１０を説明しており、ただしその際、コネクタのうち、接点要素２１及び２２だけが示されている。それぞれの接点要素２１が電気的なブリッジをなしていることは明らかである。接点要素２１は、モジュール１０の両方の接点領域１６を結合し、接点要素２２は、別の電位の接点領域１５を橋絡している。
【００３２】
この時まで、ＳＭＤ構成要素１２及び１３が取付けられたそれぞれのモジュール１０の上側にプラグコネクタ１９の接点要素２１及び２２が接触することを前提とする。接点領域１５及び１６（しかも両方）が、モジュール１０のボード１１を通って通し接触されている場合、モジュールは、又はモジュールの１つは、プラグコネクタ１９によって反対方向に向いたＬＥＤにも接続することができる。この場合、接点要素２１及び２２は、この時、常に適正な極性でモジュール１０の上側又は下側において選択的に接点領域セット１５／１６に接触する。
【００３３】
図７は、その装備側を眺めた線図的な表示で、２つのモジュール１０、及び両方のモジュール１０を連結するプラグコネクタ１９を示している。この眺めにおいてプラグコネクタ１９の接点支持体２０は、接点要素を覆っている。この表示から、プラグコネクタ１９の扁平な構成様式が良好に認められ、このプラグコネクタの接点支持体は、ここに取付けられた扁平接点も含めて、大体においてボード１１上のＳＭＤ−ＬＥＤ１２の程度の厚さしかないように構成されている。
【図面の簡単な説明】
【図１】機械的及び電気的に関連する同一のモジュールの多重配置を示す図である。
【図２】１つのモジュールを示す概略的な線図的な表示である。
【図３】２つの接点要素を有するプラグコネクタをその蓋の上の眺め方向によって示す展開斜視図である。
【図４】相応する表示であるが、蓋の下の眺め方向による表示である。
【図５】基板と接点要素からなりかつ蓋を持たないプラグコネクタを示す線図的な表示である。
【図６】プラグコネクタによる２つのモジュールの結合範囲の線図的な表示である。
【図７】モジュールに対する図６のプラグコネクタ接点要素の対応の略図である。
【符号の説明】
１０  モジュール
１１  プリント板
１２  ＬＥＤ
１３  抵抗
１４  導体路
１５  接点領域
１６  接点領域
１７  線
１９  プラグコネクタ
２０  接点支持体
２１  接点要素
２２  接点要素
２４  係止ピン
２５  ばね片
２６  ロックピン
２７  係止縁
２８  取付け区間
２９  接点区間
３０  接点区間
３１  接点
３２  接点
３３  列
３４  切り欠き
３５  蓋
【図１】
0004379762.tif 000002
【図２】
0004379762.tif 000003
【図３】
0004379762.tif 000004
【図４】
0004379762.tif 000005
【図５】
0004379762.tif 000006
【図６】
0004379762.tif 000007
【図７】
0004379762.tif 000008